【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
少なくとも２つの反応物質を組み合わせることにより所望の化学製品を生産するための同心円状並列化学製品生産システムであって、以下の(ａ)、(ｂ)、(ｃ)および（ｄ）を備えることを特徴とする同心円状並列化学製品生産システム。
（ａ）それぞれ一定量の前記所望の化学製品を生産するように構成された、一般に同心円状構成で配列された複数の化学リアクタであって、それぞれの化学リアクタは：
（ｉ）第１の反応物質入口、
（ｉｉ）第２の反応物質入口、および
（ｉｉｉ）生成物出口、
とを備える複数の化学リアクタ、
（ｂ）反応物供給装置であって、以下の（ｉ）及び（ｉｉ）、すなわち、
（ｉ）第１の反応物質供給容器と流体連通の状態に置かれ、それぞれの化学リアクタの前記第１の反応物質入口を前記第１の反応物質供給容器と並列流体連通の状態で結合するように構成された第１の反応物質供給アセンブリと、
（ｉｉ）第２の反応物供給容器と流体連通の状態に置かれ、それぞれの化学リアクタの前記第２の反応物質入口を前記第２の反応物質供給容器と並列流体連通の状態で結合するように構成された第２の反応物質供給アセンブリ、
とを備える反応物供給装置と、
（ｃ）生成物受取装置と流体連通の状態に置かれ、それぞれの化学リアクタの前記生成物出口を前記生成物受取装置と流体連通の状態で結合するように構成された生成物回収アセンブリ。
【請求項２】
請求項１に記載の同心円状並列化学製品生産システムであって、さらに、それぞれの化学リアクタおよび伝熱媒体供給容器と流体連通の状態で結合された共通熱交換アセンブリを備え、前記共通熱交換アセンブリは実質的に等しい熱条件をそれぞれの化学リアクタ内にもたらし、前記共通熱交換アセンブリは、第１の流体ラインおよび第２の流体ラインを備え、前記第１および第２の流体ラインは同心リングとして構成され、前記複数の化学リアクタは、前記同心リングの間に配置されることを特徴とする同心円状並列化学製品生産システム。
【請求項３】
請求項１に記載の同心円状並列化学製品生産システムであって、前記第１の反応物質供給アセンブリ、前記第２の反応物質供給アセンブリおよび前記生成物回収アセンブリとを制御を可能なように結合したシステムコントローラをさらに含み、該システムコントローラは、前記複数の化学リアクタのうちの少なくとも１つをバックアップリアクタとして指定することを含めて前記複数の化学リアクタによる前記所望の化学製品の生産を監視、制御し、
該システムコントローラが、
（ａ）前記第１の反応物質供給アセンブリが、前記バックアップリアクタの前記第１の反応物質入口を前記第１の反応物質供給容器から隔離し、その一方で、それぞれの他の化学リアクタの前記第１の反応物質入口を前記第１の反応物質供給容器と流体連通の状態で結合し、
（ｂ）前記第２の反応物質供給アセンブリが、前記バックアップリアクタの前記第２の反応物質入口を前記第２の反応物質供給容器から隔離し、その一方で、それぞれの他の化学リアクタの前記第２の反応物質入口を前記第２の反応物質供給容器と流体連通の状態で結合し、
（ｃ）前記生成物回収アセンブリが、前記バックアップリアクタの前記生成物出口を前記生成物受取装置から隔離し、その一方で、前記生成物受取装置と流体連通の状態で、それぞれの他の化学リアクタの前記生成物出口を結合するようにすることを特徴とする同心円状並列化学製品生産システム。
【請求項４】
請求項３に記載の同心円状並列化学製品生産システムであって、前記システムコントローラは、所定の期間の経過後、前記複数の化学リアクタのうちの異なる１つを前記バックアップリアクタとして指定するようにプログラムされ、すでに指定されているバックアップリアクタは前記第１の反応物質供給容器、前記第２の反応物質供給容器、および前記生成物受取装置と流体連通の状態で結合され、その一方で、新しく指定されたバックアップリアクタを、前記第１の反応物質供給容器、前記第２の反応物質供給容器、および前記生成物受取装置から隔離され、それによって、前記新しく指定されたバックアップリアクタはメンテナンス作業に使用できるようにし、もって長期間にわたって前記所望の生成物の連続的生産を促進することを特徴とする同心円状並列化学製品生産システム。
【請求項５】
請求項３に記載の同心円状並列化学製品生産システムであって、それぞれの化学リアクタ用のセンサを備え、それぞれのセンサは前記化学リアクタの前記生成物出口と前記生成物受取装置との間に配置され、それぞれのセンサは前記システムコントローラに結合され、それにより、前記化学リアクタからの前記化学製品の品質の指標が前記システムコントローラに供給され、前記システムコントローラは、前記センサのうちの１つが、それに対応する化学リアクタにより生産される前記化学製品の品質が所定の標準から実質的に逸脱していることを示した場合に、前記複数の化学リアクタのうちの異なる１つを前記バックアップリアクタとして指定するようにプログラムされ、すでに指定されていた前記バックアップリアクタは、前記第１の反応物質供給容器、前記第２の反応物質供給容器、および前記生成物受取装置と結合され、その一方で、前記新しく指定されたバックアップリアクタは、前記第１の反応物質供給容器、前記第２の反応物質供給容器、および前記生成物受取装置から隔離され、それによって、前記新しく指定されたバックアップリアクタをメンテナンス作業に使用できるようにし、もって長期間にわたって前記所望の生成物の連続的生産を促進することを特徴とする同心円状並列化学製品生産システム。
【請求項６】
請求項１に記載の同心円状並列化学製品生産システムであって、前記複数のリアクタおよび前記反応物質供給装置は、第１段階として構成され、さらに、複数の追加化学リアクタを備え、前記複数の追加化学リアクタは少なくとも１つの追加段階として構成され、それにより、
（ａ）それぞれの追加段階の前記追加化学リアクタの個数は、前記第１段階の前記複数のリアクタの個数に等しく、
（ｂ）それぞれの追加段階の前記複数の追加化学リアクタは、一般同心円状構成で配列され、
（ｃ）それぞれの追加段階のそれぞれの追加化学リアクタは、前記第１段階の対応する化学リアクタの前記生成物出口または先行する追加段階の対応する化学リアクタの前記生成物出口のうちの一方と流体連通の状態で結合される前記入口を含み、
（ｄ）それぞれの追加段階のそれぞれの追加化学リアクタは、後続の段階の対応する化学リアクタの前記入口および前記生成物回収アセンブリのうちの一方と流体連通の状態で結合される出口を含み、それによって、前記生成物回収アセンブリが、前記第１段階のそれぞれの化学リアクタの前記生成物出口を、前記生成物受取装置と流体連通の状態で結合するように構成する代わりに、前記生成物回収アセンブリは、任意の段階の任意の化学リアクタの生成物出口を前記生成物受取装置と流体連通の状態で結合するように構成され、その際、生成物出口は他の化学リアクタの生成物入り口と流体連通の状態で結合していないことを特徴とする同心円状並列化学製品生産システム。
【請求項７】
請求項１に記載の同心円状並列化学製品生産システムであって、前記複数のリアクタおよび前記反応物質供給装置は、第１段階として構成され、さらに、
（ａ）複数の追加化学リアクタであって、
（ｉ）前記複数の追加化学リアクタおよび前記生成物回収アセンブリは、少なくとも１つの追加段階として構成され、
（ｉｉ）それぞれの追加段階の前記追加化学リアクタの個数は、前記第１段階の前記複数のリアクタの個数に等しく、
（ｉｉｉ）前記第２段階のそれぞれの追加化学リアクタは、少なくとも１つの入口および第２段階生成物出口を備え、
（ｉｖ）前記生成物回収アセンブリが、前記第１段階のそれぞれの化学リアクタの前記生成物出口を、前記生成物受取装置と流体連通の状態で結合するように構成する代わりに、前記生成物回収アセンブリは、前記第２段階のそれぞれの化学リアクタの前記第２段階生成物出口を、前記生成物受取装置と流体連通の状態で結合するように構成され、それぞれの第２段階生成物出口は前記生成物回収アセンブリに結合し、もって前記第２段階のそれぞれの追加化学リアクタの前記生成物出口を、前記生成物受取装置と流体連通の状態で選択的に結合する、
複数の追加化学リアクタと、
（ｂ）前記第１段階の前記複数の化学リアクタのそれぞれの前記出口および前記第２段階の前記複数の追加化学リアクタのそれぞれの前記入口と流体連通の状態で配置された弁システムであって、前記第１段階のそれぞれの化学リアクタの前記生成物出口を前記第２段階の選択された追加化学リアクタの前記入口に選択的に結合できるようにする弁システム、
とを備えることを特徴とする同心円状並列化学製品生産システム。
【請求項８】
請求項１に記載の同心円状並列化学製品生産システムであって、前記複数のリアクタ、前記反応物質供給装置、および前記生成物回収アセンブリは、第１段階として構成され、さらに、第２段階を含み、前記第２段階は、
（ａ）それぞれの前記第２段階の追加化学リアクタが、少なくとも入口および第２段階生成物出口を備える複数の追加化学リアクタと、
（ｂ）前記生成物受取装置と流体連通の状態で配置され、それぞれの追加化学リアクタの前記入口を前記生成物受取装置と流体連通の状態で選択的に結合し、それにより、それぞれの追加化学リアクタは前記生成物受取装置と並列に結合されるように構成され、もって前記第１段階から回収された前記生成物を前記第２段階の反応物質として導入できるようにすることを特徴とする同心円状並列化学製品生産システム。
【請求項９】
請求項６〜８のいずれかに記載の同心円状並列化学製品生産システムであって、
（ａ）前記第１の反応物質供給アセンブリ、前記第２の反応物質供給アセンブリおよび前記生成物回収アセンブリに制御を可能なように結合したシステムコントローラであって、前記同心円状並列化学製品生産システムの動作を自動化するように構成されている、該システムコントローラと、
（ｂ）複数のセンサであって、それぞれのセンサは前記システムコントローラと論理的に結合され、それぞれセンサは前記第１段階のそれぞれの化学リアクタおよび第２段階のそれぞれの化学リアクタのうちの少なくとも一方で生産される生成物の品質の指標を提供するように構成され、前記システムコントローラは所定の品質よりも低い品質を有する生成物を生産するそれぞれの化学リアクタをバックアップリアクタとして指定するように構成される、複数のセンサと
をさらに具えることを特徴とする同心円状並列化学製品生産システム。
【請求項１０】
請求項１に記載の同心円状並列化学製品生産システムであって、
（ａ）前記第１の反応物質供給アセンブリは、
（ｉ）前記第１の反応物質供給容器と流体連通の状態で結合するように構成された第１の反応物質分配装置と、
（ｉｉ）前記第１の反応物質分配装置を前記複数の化学リアクタのそれぞれの第１の反応物質入口に選択的に結合するように構成された複数の第１の反応物質流体ラインであって、それぞれの第１の反応物質流体ラインが実質的に等しい流量を供給するように構成され、それぞれの第１の反応物質流体ラインが第１の反応物質流体ライン弁を含み、該弁が、それぞれのリアクタの前記第１の反応物質入口を前記第１の反応物質供給容器および第１の溶媒供給容器のうちの一方と流体連通の状態で選択的に結合するように構成された複数の第１の反応物質流体ラインとを備え、
（ｂ）前記第２の反応物質供給アセンブリは、
（ｉ）第２の反応物質供給容器と流体連通の状態で結合するように構成された第２の反応物質分配装置と、
（ｉｉ）複数の第２の反応物質流体ラインであって、前記第２の反応物質分配装置を前記複数の化学リアクタのそれぞれの第２の反応物質入口に選択的に結合するように構成され、それぞれの第２の反応物質流体ラインが実質的に等しい流量を供給するように構成され、それぞれの第２の反応物質流体ラインが第２の反応物質流体ラインバルブを備え、該第２の反応物質流体ラインバルブはそれぞれのリアクタの前記第２の反応物質入口を、前記第２の反応物質供給容器および第２の溶媒供給容器のうちの一方と流体連通の状態で選択的に結合するように構成された複数の第２の反応物質流体ラインとを備え、
（ｃ）前記生成物回収アセンブリは、
（ｉ）前記生成物受取装置と流体連通の状態で結合するように構成された生成物回収装置と、
（ｉｉ）複数の生成物流体ラインであって、該生成物流体ラインが前記生成物回収装置を前記複数の化学リアクタのそれぞれの生成物出口に選択的に結合するように構成され、それぞれの生成物流体ラインは実質的に等しい流量を供給するように構成され、それぞれの生成物流体ラインは生成物流体ライン弁を備え、該生成物流体ライン弁はそれぞれのリアクタの前記生成物出口をそれぞれの生成物流体ラインはそれぞれ前記生成物受取装置および廃液受取装置のうちの一方と流体連通の状態で選択的に結合するように構成され、それによって、それぞれの化学リアクタを他の化学リアクタから選択的に隔離し、溶媒で洗浄することができる複数の生成物流体ライン、
とを備えることを特徴とする同心円状並列化学製品生産システム。
【請求項１１】
請求項１に記載の同心円状並列化学製品生産システムであって、
（ａ）それぞれの化学リアクタが、マイクロリアクタを備えること、
（ｂ）それぞれの化学リアクタが、実質的に同じ処理状態をもたらすように構成されること、および
（ｃ）前記同心円状並列化学製品生産システムが、さらに、生成物熱交換アセンブリを備え、該生成物熱交換アセンブリはそれぞれのリアクタ出口から放出される生成物を熱的に調整するように構成されること、
のうちの少なくとも１つがあてはまることを特徴とする同心円状並列化学製品生産システム。
【請求項１２】
少なくとも２つの反応物質を組み合わせることにより所望の化学製品を生産する方法であって、
（ａ）複数の化学リアクタを提供する工程であって、それぞれの化学リアクタが一定量の前記所望の化学製品を生産するように構成されている工程と、
（ｂ）前記複数の化学リアクタを使用して、前記複数の化学リアクタが同心円状に配列され実質的に等しい反応物質供給速度が実現される並列化学製品生産システムを形成する工程と、
（ｃ）一定量の第１の反応物質をそれぞれの化学リアクタに導入する工程と、
（ｄ）一定量の第２の反応物質をそれぞれの化学リアクタに導入する工程と、
（ｅ）それぞれの化学リアクタから一定量の前記所望の化学製品を回収する工程とを含むことを特徴とする方法。
【請求項１３】
請求項１２に記載の方法であって、前記複数の化学リアクタを使用して並列化学製品生産システムを形成する工程が、前記複数の化学リアクタのそれぞれを、同心リングとして構成される第１および第２の流体ラインを備える共通熱交換装置に結合し、前記複数の化学リアクタを前記同心リングの間に配置される工程を含むことを特徴とする方法。
【請求項１４】
請求項１２に記載の方法であって、さらに、前記複数の化学リアクタの１つをバックアップリアクタとして指定する工程を含み、
（ａ）一定量の第１の反応物質をそれぞれの化学リアクタ内に導入する工程が、前記バックアップリアクタとして指定されていない化学リアクタ内にのみ前記第１の反応物質を導入する工程を含み、
（ｂ）一定量の第２の反応物質をそれぞれの化学リアクタ内に導入する工程が、前記バックアップリアクタとして指定されていない化学リアクタ内にのみ前記第２の反応物質を導入する工程を含み、それによって、前記バックアップリアクタにより生成物が生成されないようにすることを特徴とする方法。
【請求項１５】
請求項１４に記載の方法であって、さらに、
（ａ）所定の状態の発生に応じて、前記複数の化学リアクタのうちの異なる１つを新しく指定されたバックアップリアクタとして指定する工程と、
（ｂ）前記新しく指定されたバックアップリアクタを隔離し、もって第１の反応物質および第２の反応物質が前記新しく指定されたバックアップリアクタ内に追加導入されることのないようにする工程と、
（ｃ）一定量の前記第１の反応物質および前記第２の反応物質をすでに指定されていたバックアップリアクタ内に導入する工程と、
（ｄ）すでに指定されていたバックアップリアクタから一定量の前記所望の化学製品を回収する工程とを含むことを特徴とする方法。
【請求項１６】
請求項１５に記載の方法であって、前記所定の状態は、所定の時間間隔の経過に対応することを特徴とする方法。
【請求項１７】
請求項１５に記載の方法であって、さらに、それぞれの化学リアクタから回収された一定量の前記所望の化学製品を判別する工程を含み、前記所定の状態は、所定の品質標準と比較して前記化学リアクタのうちの１つから回収された前記化学製品の前記品質の実質的逸脱に対応し、それによって、前記所定の品質標準から実質的に逸脱している前記所望の化学製品を生産する前記化学リアクタが前記新しく指定されたバックアップリアクタとして指定されることを特徴とする方法。
【請求項１８】
請求項１５に記載の方法であって、さらに、前記新しく指定されたバックアップリアクタ上でメンテナンスを実行する工程を含むことを特徴とする方法。
【請求項１９】
請求項１８に記載の方法であって、前記新しく指定されたバックアップリアクタ上でメンテナンスを実行する工程は、前記新しく指定されたバックアップリアクタを洗浄用溶媒で洗浄する工程を含むことを特徴とする方法。
【請求項２０】
請求項１４に記載の方法であって、前記第１および前記第２の反応物質を前記化学リアクタ内に導入し、前記所望の化学製品を回収し、前記化学リアクタのうちの１つをバックアップリアクタとして指定することに関するそれぞれの工程は、自動的に実行されることを特徴とする方法。
【請求項２１】
請求項１４に記載の方法であって、さらに、
（ａ）所望の数の後続段階を形成するのに十分な追加化学リアクタを提供する工程と、
（ｂ）前記追加化学リアクタを使用して前記所望の数の後続段階を形成する工程と、
（ｃ）それぞれの後続段階毎に
（ｉ）少なくとも１つの化学リアクタをバックアップリアクタとして指定し、
（ｉｉ）前記先行する段階で生産された前記生成物をバックアップリアクタとして指定されていないそれぞれの追加化学リアクタ内で反応物質として使用する工程と、
（ｄ）前記最終の後続段階で生産された一定量の前記最終生成物を回収する工程とを含むことを特徴とする方法。
【請求項２２】
最初に用意された前記複数の実質的に同じリアクタから回収された前記所望の化学製品を、単一の生成物の流れにまとめる請求項１２に記載の方法であって、さらに、
（ａ）追加化学リアクタを含む、前記並列化学製品生産システムの第２段階を実現する
工程と、
（ｂ）最初に用意された前記複数の実質的に同じリアクタから回収された前記所望の化学製品からまとめられた前記単一の製品の流れを複数の異なる生成物の流れに分ける工程と、
（ｃ）前記異なる生成物の流れを前記追加化学リアクタの前記入口ポートに送り、もって前記所望の化学製品が第２段階化学製品を生産するために前記第２段階の反応物質として使用されるようにする工程と、
（ｄ）必要ならば、任意の追加反応物質を、前記所望の化学製品を反応物質として受け取るそれぞれの追加化学リアクタ内に導入する工程と、
（ｅ）前記所望の化学製品を受け取るそれぞれの追加化学リアクタから一定量の前記第２段階化学製品を回収する工程、
とを含むことを特徴とする方法。
【請求項２３】
請求項１２に記載の方法であって、さらに、
（ａ）所望の数の後続段階を形成するのに十分な追加化学リアクタを提供する工程と、
（ｂ）前記追加化学リアクタを使用して前記所望の数の後続段階を形成する工程と、
（ｃ）第１の後続段階の最初に用意される前記化学リアクタ内で生産される前記所望の生成物を前記追加化学リアクタ内の反応物質として使用して、第２段階の化学製品を生産する工程と、
（ｄ）それぞれの追加後続段階毎に、前記先行する段階で生産される前記製品をその段階の前記追加化学リアクタ内の反応物質として使用し、異なる生成物を生産する工程であって、前記先行する段階からの生成物は少なくとも一つの単一の生成物の流れ及び複数の異なる生成物の流れとして後続段階に供給される工程と、
（ｅ）前記最終の後続段階で生産された一定量の前記最終生成物を回収する工程とを含むことを特徴とする方法。
【請求項２４】
請求項１２に記載の方法であって、一定量の前記所望の化学製品をそれぞれの化学リアクタから回収する工程が、回収される前記所望の化学製品を熱的に調整する工程を含むことを特徴とする方法。
【請求項２５】
請求項１２に記載の方法であって、複数の化学リアクタを提供する工程が少なくとも以下の工程：
（ａ）それぞれの化学リアクタは、マイクロリアクタを備える複数の化学リアクタを提供する工程と、
（ｂ）それぞれの化学リアクタは、実質的に同じ処理状態をもたらすように構成される複数の化学リアクタを提供する工程と、
を含むことを特徴とする方法。            
【請求項２６】
少なくとも２つの反応物質を組み合わせることにより所望の化学製品を自動的に生産するための自動化連続的処理並列化学製品生産システムであって、以下の(ａ)、(ｂ)、(ｃ)および（ｄ）を備えることを特徴とする自動化連続的処理並列化学製品生産システム。
（ａ）それぞれ一定量の前記所望の化学製品を生産するように構成された複数の化学リアクタであって、それぞれの化学リアクタは少なくとも第１の反応物質入口、第２の反応物質入口、および生成物出口を備える、複数の化学リアクタ、
（ｂ）反応物供給装置であって、以下の（ｉ）及び（ｉｉ）、すなわち、
（ｉ）第１の反応物質供給アセンブリであって、第１の反応物質供給容器と流体連通の状態に置かれ、それぞれの化学リアクタの前記第１の反応物質入口を前記第１の反応物質供給容器と流体連通の状態で選択的に結合し、もって前記複数の化学リアクタのそれぞれの第１の反応物質入口が前記第１の反応物質供給容器と並列に結合されるように構成された第１の反応物質供給アセンブリと、
（ｉｉ）第２の反応物質供給アセンブリであって、第２の反応物供給容器と流体連通の状態に置かれ、それぞれの化学リアクタの前記第２の反応物質入口を前記第２の反応物質供給容器と流体連通の状態で選択的に結合し、もって前記複数の化学リアクタのそれぞれの第２の反応物質入口が前記第２の反応物質供給容器と並列に結合されるように構成された第２の反応物質供給アセンブリ、
とを備える反応物供給装置と、
（ｃ）生成物回収アセンブリであって、生成物受取装置と流体連通の状態に置かれ、それぞれの化学リアクタの前記生成物出口を流体連通の状態で前記生成物受取装置と選択的に結合するように構成された生成物回収アセンブリと、
（ｄ）システムコントローラであって、前記第１の反応物質供給アセンブリ、前記第２の反応物質供給アセンブリおよび前記生成物回収アセンブリと制御を可能なように結合し、該システムコントローラは前記複数の化学リアクタによる前記所望の化学製品の生産を監視、制御し、前記複数の化学リアクタのうちの少なくとも１つをバックアップリアクタとして指定することにより、該システムコントローラが、以下の（ｉ）（ｉｉ）および（ｉｉｉ）、すなわち、
（ｉ）前記第１の反応物質供給アセンブリが、前記バックアップリアクタの前記第１の反応物質入口を前記第１の反応物質供給容器から隔離し、その一方で、それぞれの他の化学リアクタの前記第１の反応物質入口を前記第１の反応物質供給容器と並列に、流体連通の状態で結合し、
（ｉｉ）前記第２の反応物質供給アセンブリが、前記バックアップリアクタの前記第２の反応物質入口を前記第２の反応物質供給容器から隔離し、その一方で、それぞれの他の化学リアクタの前記第２の反応物質入口を前記第２の反応物質供給容器と並列に、流体連通の状態で結合し、
（ｉｉｉ）前記生成物回収アセンブリが、前記バックアップリアクタの前記生成物出口を前記生成物受取装置から隔離し、その一方で、それぞれの他の化学リアクタの前記生成物出口を前記生成物受取装置と流体連通の状態で結合するようにするシステムコントローラ。
【請求項２７】
請求項２６に記載の自動化連続的処理並列化学製品生産システムであって、前記システムコントローラは、所定の期間の経過後、前記複数の化学リアクタのうちの異なる１つを前記バックアップリアクタとして指定し、前記バックアップリアクタとしてすでに指定されている前記化学リアクタは、その後、前記第１の反応物質供給容器、前記第２の反応物質供給容器、および前記生成物受取装置と流体連通の状態で結合され、その一方で、新しくバックアップリアクタとして指定された前記化学リアクタは、前記第１の反応物質供給容器、前記第２の反応物質供給容器、および前記生成物受取装置から隔離され、それによって、前記新しく指定されたバックアップリアクタをメンテナンス作業に使用できるようにし、もって長期間にわたって前記所望の生成物の連続的生産を促進することを特徴とする自動化連続的処理並列化学製品生産システム。
【請求項２８】
請求項２６に記載の自動化連続的処理並列化学製品生産システムであって、前記それぞれの化学リアクタ用のセンサをさらに備え、前記それぞれのセンサは前記化学リアクタの前記生成物出口と前記生成物受取装置との間に配置され、それにより、前記化学リアクタからの前記化学製品の品質の指標が前記システムコントローラに供給され、前記システムコントローラは、前記センサのうちの１つが、それに対応する化学リアクタにより生産される前記化学製品の品質が所定の標準から逸脱していることを示した場合に、前記複数の化学リアクタのうちの異なる１つを前記バックアップリアクタとして指定するようにプログラムされ、前記バックアップリアクタとしてすでに指定されていた前記化学リアクタは、その後、前記第１の反応物質供給容器、前記第２の反応物質供給容器、および前記生成物受取装置と結合され、その一方で、前記新しく指定されたバックアップリアクタは、前記第１の反応物質供給容器、前記第２の反応物質供給容器、および前記生成物受取装置から隔離され、それによって、前記新しく指定されたバックアップリアクタをメンテナンス作業に使用できるようにし、もって長期間にわたって前記所望の生成物の連続的生産が促進することを特徴とする自動化連続的処理並列化学製品生産システム。
【請求項２９】
請求項２６に記載の自動化連続的処理並列化学製品生産システムであって、前記複数の化学リアクタは、一般的同心円状構成で配列されることを特徴とする自動化連続的処理並列化学製品生産システム。
【請求項３０】
請求項２６に記載の自動化連続的処理並列化学製品生産システムであって、第１の流体ラインおよび第２の流体ラインを備える前記共通熱交換アセンブリをさらに備え、前記第１および第２の流体ラインは同心リングとして構成され、前記複数の化学リアクタは、前記同心リングの間に配置されることを特徴とする自動化連続的処理並列化学製品生産システム。
【請求項３１】
請求項２６に記載の自動化連続的処理並列化学製品生産システムであって、前記複数のリアクタおよび前記反応物質供給装置が、第１段階として構成され、さらに、複数の追加化学リアクタを備え、前記複数の追加化学リアクタおよび前記生成物回収アセンブリが第２段階として構成され、それにより、
（ａ）前記第２段階の前記追加化学リアクタの個数は、前記第１段階の前記複数のリアクタの個数に等しく、
（ｂ）前記第２段階のそれぞれの追加化学リアクタは、少なくとも１つの入口および第２段階生成物出口を備え、
（ｃ）前記第１段階のそれぞれの化学リアクタのそれぞれの生成物出口は、前記第２段階の前記追加化学リアクタの１つの入口に結合され、それによって前記第２段階のそれぞれの追加化学リアクタは、前記第１段階のただ１つの化学リアクタと結合され、
（ｄ）前記第２段階のそれぞれの追加化学リアクタのそれぞれの第２段階生成物出口は、前記生成物回収アセンブリに結合され、前記第２段階のそれぞれの追加化学リアクタの前記生成物出口を、前記生成物受取装置と流体連通の状態で選択的に結合し、前記第１段階の前記バックアップリアクタの前記生成物出口を前記生成物受取装置から隔離する代わりに、前記第１段階のそれぞれの他の化学リアクタの前記生成物出口を、前記生成物受取装置と流体連通の状態で結合しながら、前記システムコントローラにより、前記生成物回収アセンブリは、前記第２段階の前記追加化学リアクタであって、その入口が前記第１段階の前記バックアップリアクタの前記出口に結合されている第２段階の追加化学リアクタの前記第２段階生成物出口を、前記生成物受取装置から隔離し、その一方で、前記第２段階のそれぞれの他の追加化学リアクタの前記第２段階生成物出口を前記生成物受取装置と流体連通の状態で結合することを特徴とする自動化連続的処理並列化学製品生産システム。
【請求項３２】
請求項２６に記載の自動化連続的処理並列化学製品生産システムであって、前記複数のリアクタおよび前記反応物質供給装置は、第１段階として構成され、さらに、
（ａ）複数の追加化学リアクタであって、
（ｉ）前記複数の追加化学リアクタおよび前記生成物回収アセンブリは、第２段階として構成され、
（ｉｉ）前記第２段階の前記追加化学リアクタの個数は、前記第１段階の前記複数のリアクタの個数に等しく、
（ｉｉｉ）前記第２段階のそれぞれの追加化学リアクタは、少なくとも１つの入口および第２段階生成物出口を備え、それぞれの第２段階生成物出口は前記生成物回収アセンブリに結合され、もって前記第２段階のそれぞれの追加化学リアクタの前記生成物出口を、前記生成物受取装置と流体連通の状態で選択的に結合する、  
複数の追加化学リアクタと、
（ｂ）弁システムであって、前記第１段階の前記複数の化学リアクタのそれぞれの出口および前記第２段階の前記複数の追加化学リアクタのそれぞれの入口と流体連通の状態で配置され、該弁システムは前記システムコントローラに制御可能なように接続され、前記システムコントローラの制御の下で前記第１段階の選択された化学リアクタの前記生成物出口を前記第２段階の選択された追加化学リアクタの前記入口に選択的に結合する弁システムとを備え、
（ｃ）前記第１段階の前記バックアップリアクタの前記生成物出口を、前記生成物受取装置から隔離する代わりに、前記第１段階のそれぞれの他の化学リアクタの前記生成物出口を前記生成物受取装置と流体連通の状態で結合する一方で、前記システムコントローラにより、前記生成物回収アセンブリが、前記第２段階の前記追加化学リアクタであって、その入口が前記第１段階の前記バックアップリアクタの前記出口に選択的に結合されている第２段階の追加化学リアクタの前記第２段階生成物出口を、前記生成物受取装置から隔離することを特徴とする自動化連続的処理並列化学製品生産システム。
【請求項３３】
請求項２６に記載の自動化連続的処理並列化学製品生産システムであって、前記複数のリアクタ、前記反応物質供給装置、および前記生成物回収アセンブリは、第１段階として構成され、さらに、第２段階を含み、前記第２段階は、
（ａ）それぞれの前記第２段階の追加化学リアクタが、少なくとも入口および第２段階生成物出口を備える複数の追加化学リアクタと、
（ｂ）第２段階供給アセンブリであって、前記生成物受取装置と流体連通の状態で配置され、それぞれの追加化学リアクタの前記入口を前記生成物受取装置と流体連通の状態で選択的に結合し、それにより、それぞれの追加化学リアクタは前記生成物受取装置と並列に結合されるように構成され、前記第２段階供給アセンブリが前記システムコントローラに制御可能なように接続され、前記システムコントローラは、前記第２段階の前記追加リアクタの少なくとも１つをバックアップリアクタとして指定するとともに、前記第２段階供給アセンブリが、前記バックアップリアクタとして指定されている前記第２段階のそれぞれの追加化学リアクタの前記入口を前記生成物受取装置から隔離させることを特徴とする自動化連続的処理並列化学製品生産システム。
【請求項３４】
請求項２６に記載の自動化連続的処理並列化学製品生産システムであって、
（ａ）前記複数のリアクタおよび前記反応物質供給装置は、第１段階として構成され、さらに、複数の追加化学リアクタを備え、前記複数の追加化学リアクタは少なくとも１つの追加段階として構成され、それにより、
（ｉ）それぞれの追加段階の前記追加化学リアクタの個数は、前記第１段階の前記複数のリアクタの個数に等しく、それぞれの追加化学リアクタは、少なくとも１つの入口および１つの生成物出口を備え、
（ｉｉ）それぞれの追加段階のそれぞれの追加化学リアクタの前記入口は、前記第１段階の対応する化学リアクタの前記生成物出口および先行する追加段階の対応する化学リアクタの前記生成物出口のうちの一方と流体連通の状態で結合され、
（ｉｉｉ）それぞれの追加段階のそれぞれの追加化学リアクタの前記出口は、後続の段階の対応する化学リアクタの前記入口および前記生成物回収アセンブリのうちの一方と流体連通の状態で結合され、
（ｂ）前記システムコントローラは、それぞれの追加段階の対応する個数の追加化学リアクタをバックアップリアクタとして指定し、バックアップリアクタとして指定されたそれぞれの追加化学リアクタの前記生成物出口が前記生成物受取装置から隔離されるように確保し、バックアップリアクタとして指定されていないそれぞれの追加化学リアクタの前記生成物出口が前記生成物受取装置と流体連通の状態で結合されるようにすることを特徴とする自動化連続的処理並列化学製品生産システム。